(57)【要約】      （修正有）【課題】高さ方向折り畳み可能とした横方向伸縮可能な衝立を提供する。【解決手段】縦框部材及び目隠し部材を、上下方向で分割し、上下の縦框部材を蝶番にて連結したものであるので、収納時に折り畳み、収納の高さスペースを小さなものとすることができた。更に蝶番を、収縮した目隠し部材の厚みに適合する長さを有する中間蝶板５１と、上下の縦框部材に取り付けられる上下蝶板５２，５３との３枚の蝶板よりなり、２軸を有する蝶番としたので、アコーデオンスクリーンや巻き取り式スクリーンのように伸縮のための特殊構造や厚みを有する目隠し部材を利用した場合であっても、高さ方向で折り畳み可能なものとなった。【選択図】図５
0003142658.tif 000002
【実用新案登録請求の範囲】
【請求項１】
両側の縦框部材間に横方向伸縮可能な目隠し部材を張ってなる衝立において、
両側の上記縦框部材及び上記目隠し部材を、上下方向で分割するとともに、
上下の縦框部材に、
収縮した目隠し部材の厚みに適合する長さを有する中間蝶板と、上下の縦框部材に取り付けられる上下蝶板との３枚の蝶板よりなり、２軸を有する蝶番を、
高さ方向で折り畳み可能なるよう、該折り畳み方向内側に装着したことを特徴とする高さ方向折り畳み可能な伸縮式衝立。
【請求項２】
上下の縦框部材の蝶番装着側と反対側の高さ方向両側に、固定部材が脱落せずにスライド可能とするスライドガイドを形成するとともに、
該スライドガイド内をスライドする固定部材を、上下の縦框部材を連結して立てた状態で、上下の縦框部材間のスライドガイド内で停止固定可能としたことを特徴とする請求項１記載の折り畳み可能な伸縮式衝立。
【請求項３】
両側の縦框部材を、上下方向で上部框部材と下部框部材に分割するとともに、両側の上部框部材の間に横方向伸縮可能な目隠し部材を張ってなる衝立において、
上下の縦框部材に、
収縮した目隠し部材の厚みに適合する長さを有する中間蝶板と、上下の縦框部材に取り付けられる上下蝶板との３枚の蝶板よりなり、２軸を有する蝶番を、
高さ方向で折り畳み可能なるよう、該折り畳み方向内側に装着したことを特徴とする折り畳み可能な伸縮式衝立。
【考案の詳細な説明】
【技術分野】
【０００１】
本考案は、高さ方向で折り畳み可能とした横方向（幅方向）で伸縮可能な衝立に関するものであり、主としてアコーデオンスクリーンを利用した衝立を、高さ方向で折り畳み可能とすることを主眼に開発されたものである。
【背景技術】
【０００２】
従来より、特許文献１に示されるように、両端の縦框部材にアコーデオン式に横方向に伸縮自在としたスクリーンを取り付けた衝立やスクリーン装置が存在した。この種、横方向伸縮可能な衝立やスクリーン装置は、横方向には収縮して収納スペースを小さくすることができる点で優れているが、縦方向（高さ方向）では低くすることができず、高さを確保できないスペースへの収納には問題があった。
【０００３】
目隠し部材たるスクリーンが１枚のパネルや幕体でなる場合には、特許文献２に示されるように、縦框部材に相応するフレームを高さ方向にスライドさせ伸縮自在とする発明が開示されている。しかし、目隠し部材が、アコーデオンスクリーンのように横方向へ伸縮可能とする特殊な機構や厚みを有する場合、それらを支持する縦框部材を伸縮自在なものとすることは、ほとんど不可能であった。
【０００４】
【特許文献１】特開２００７−１５４４２５号公開特許公報
【特許文献２】特開２００７−０２３６８０号公開特許公報
【考案の開示】
【考案が解決しようとする課題】
【０００５】
本考案は、アコーデオンスクリーンを利用した衝立のように横方向（幅方向）に伸縮可能な構造を有する衝立であっても、高さ方向（縦方向）で折り畳みを可能とし、横方向での収納スペースを小スペース化するだけでなく、高さ方向での小スペース化をも図ることができる伸縮式衝立を提供することを目的とする。
【課題を解決するための手段】
【０００６】
第１の考案は、折り畳み可能な伸縮式衝立に次の手段を採用する。
第１に、両側の縦框部材間に横方向伸縮可能な目隠し部材を張ってなる衝立とする。
第２に、両側の上記縦框部材及び上記目隠し部材を、上下方向で分割する。
第３に、上下の縦框部材に、収縮した目隠し部材の厚みに適合する長さを有する中間蝶板と、上下の縦框部材に取り付けられる上下蝶板との３枚の蝶板よりなり、２軸を有する蝶番を、
高さ方向で折り畳み可能なるよう、該折り畳み方向内側に装着する。
【０００７】
第２の考案は、第１の考案に、次の手段を付加した折り畳み可能な伸縮式衝立である。
第１に、上下の縦框部材の蝶番装着側と反対側の高さ方向両側に、固定部材が脱落せずにスライド可能とするスライドガイドを形成する。
第２に、該スライドガイド内をスライドする固定部材を設ける。
第３に、上下の縦框部材を連結して立てた状態で、上下の縦框部材間のスライドガイド内で固定部材が停止固定可能とする。
【０００８】
第３の発明は、第１の考案の改良であって、両側の縦框部材を、上下方向で上部框部材と下部框部材に分割するとともに、両側の上部框部材の間のみに横方向伸縮可能な目隠し部材を張ってなる折り畳み可能な伸縮式衝立である。
【考案の効果】
【０００９】
本考案は、縦框部材及び目隠し部材を、上下方向で分割し、上下の縦框部材を蝶番にて連結したものであるので、収納時に折り畳み、収納の高さスペースを小さなものとすることができた。更に蝶番を、収縮した目隠し部材の厚みに適合する長さを有する中間蝶板と、上下の縦框部材に取り付けられる上下蝶板との３枚の蝶板よりなり、２軸を有する蝶番としたので、アコーデオンスクリーンや巻き取り式スクリーンのように伸縮のための特殊構造や厚みを有する目隠し部材を利用した場合であっても、高さ方向で折り畳み可能なものとなった。
【００１０】
第２の考案の効果ではあるが、第１の考案に、上下の縦框部材の蝶番装着側と反対側の高さ方向両側に、固定部材が脱落せずにスライド可能とするスライドガイドを形成し、上下の縦框部材を連結して立てた状態で、上下の縦框部材間のスライドガイド内で固定部材が停止固定可能とすることにより、衝立利用時に衝立が折れ曲がる危険のない衝立となった。
【考案を実施するための最良の形態】
【００１１】
以下、図面に従って、実施例と共に本考案の実施の形態について説明する。図１は、実施例に係る衝立１を横方向（幅方向）に広げた使用状態の正面側説明図で、図２は、同背面側説明図であり、図３は、衝立１を幅方向（横方向）に縮めた状態の背面側説明図である。
【００１２】
衝立１は、図１乃至図３に示されるように、横方向伸縮可能な目隠し部材となるアコーデオンスクリーン２と、アコーデオンスクリーン２の両側に装着された縦框部材３と、縦框部材３の下部に装着される脚４とを有する。この構成は通常のアコーデオン式衝立と変わることはない。尚、目隠し部材としてはアコーデオンスクリーン２の他に、幅方向（横方向）での巻き取り式スクリーンなどの利用も考えられる。
【００１３】
本考案の特徴は、図１乃至図３に示されるように、縦框部材３を上下に分割して上部框部材３１と下部框部材３２とし、それに対応してアコーデオンスクリーン２も上下に分割して上部アコーデオンスクリーン２１と下部アコーデオンスクリーン２２としたことである。勿論、上部アコーデオンスクリーン２１は、両側に位置する上部框部材３１に固定されており、下部アコーデオンスクリーン２２は、両側に位置する下部框部材３２に固着されている。
【００１４】
実施例での縦框部材３及びアコーデオンスクリーン２の分割は、図１乃至図３から理解できるように、上下ほぼ均等なる２分割であるが、図示されてはいないが、３分割など複数分割が可能であることは勿論、上下の長さも収納高さに適合するならば、上部框部材３１とそれと対応する上部アコーデオンスクリーン２１の長さを、下部框部材３２やそれと対応する下部アコーデオンスクリーン２２の長さより短いものとしても良い。更に、請求項３に示されるように、両側の上部框部材３１の間にのみ横方向伸縮可能な目隠し部材たるアコーデオンスクリーン２を張り、下部框部材３２の間は空間のまま利用するものなども考えられる。
【００１５】
上部框部材３１と下部框部材３２は、図１及び図４に示されるように、蝶番５を介して前方向に折り畳み自在に連結されている。蝶番５は、図５及び図６に示されるように、収縮したアコーデオンスクリーン２の厚みに適合する長さを有する中間蝶板５１と、上部框部材３１と下部框部材３２に取り付けられる上下蝶板５２，５３との３枚の蝶板５１，５２，５３よりなり、上蝶板５２と中間蝶板５１の間と中間蝶板５１と下蝶板５３との間に２軸の回転軸（通常はピン）を有するものである。
【００１６】
上記蝶番５は、縦框部材３が高さ方向で折り畳み可能なるように、該折り畳み方向内側の上部框部材３１と下部框部材３２に装着される。詳しくは、図５及び図６に示されるように、上部框部材３１の下端部に上蝶板５２を固着し、下部框部材３２の上端部に下蝶板５３を固着する。尚、実施例では縦框部材３が上下連結されて立った状態で蝶番５が、正面側に大きく出っ張ることを防止するため、蝶番５の正面側が縦框部材３からあまり出っ張らないように、図６に示されるように上部框部材３１及び下部框部材３２の蝶番固着用凹部を形成し、該凹部に固着されている。
【００１７】
上記蝶番５を利用することで上部框部材３１と下部框部材３２の折り畳みは可能となるが、上部框部材３１と下部框部材３２を立て、衝立１として利用する際には、このままでは不安定である。そこで、図２及び図３に示されるように、上部框部材３１及び下部框部材３２の蝶番５の装着側（正面側）と反対側（背面側）に、両者の固定装置６を配備した。
【００１８】
固定装置６は、図２及び図３に示されるように、スライドガイド６２と固定部材６１とストッパボルト６６とからなる。まず、上部框部材３１及び下部框部材３２の高さ方向両側には、固定部材６１が脱落せずにスライド可能とするスライドガイド６２が形成され、該スライドガイド６２内に固定部材６１がスライド固定可能なるよう装着されている。
【００１９】
詳細に説明すれば、図６に示されるように、スライドガイド６２は、次のように製作されている。即ち、上部框部材３１と下部框部材３２の背面側に、固定部材６１のスライド溝６３を設け、該スライド溝６３の両側に固定部材６１のスライドに適するよう側壁を立ち上げ、更に、固定部材６１が、スライド溝６３より脱落しないよう脱落防止片６４を側壁上端よりスライド溝６３の中央方向に向かって突出させて形成されている。
【００２０】
固定部材６１は、中央に縦方向の移動幅を規制する長窓６５が形成されており、スライド溝６３には、固定部材６１のストッパボルト６６が立設されており、長窓６５とストッパボルト６６とは係合しており、固定部材６１の移動幅が決定されている。
【００２１】
上部框部材３１を立て、下部框部材３２の上部に位置させ、上部框部材３１のスライド溝６３内に位置していた固定部材６１を下方に向かってスライドさせる。固定部材６１は、上部框部材３１から下部框部材３２のスライド溝６３内にスライドして入り込む。
【００２２】
その後、固定部材６１は、上部框部材３１のスライド溝６３に立設されているストッパボルト６６に長窓６５の端部が当接し、スライドが止められ、固定部材６１は、上部框部材３１と下部框部材３２の両者のスライド溝６３に存在して停止する。そこで、ストッパボルト６６をボルト締めし、確実に固定するのである。
【００２３】
尚、上部框部材３１及び下部框部材３２には、図４に示されるように、固定ベルト７が装着されており、折り畳んだ上部框部材３１と上部アコーデオンスクリーン２１、下部框部材３２と下部アコーデオンスクリーン２２を、該固定ベルト７にて確実に固定する。
【００２４】
本考案の使用方法について説明する。収納時から衝立１として利用するには、固定ベルト７を解除し、上部框部材３１及び上部アコーデオンスクリーン２１を蝶番５を軸として上方へ回動させて持ち上げる。その後、上記したように固定装置６により両側の上部框部材３１と下部框部材３２をしっかりと固定し、図３に示す状態とする。
【００２５】
その後、左右の縦框部材３を横方向に広げて図１及び図２に示すように衝立として使用するのである。使用後は、左右の縦框部材３を寄せて、アコーデオンスクリーン２を縮め、更に、固定装置６を外し、正面側に折り畳んで、固定ベルト７で締結して収納する。
【図面の簡単な説明】
【００２６】
【図１】アコーデオンスクリーンを広げた使用状態の衝立の正面側説明図
【図２】同使用状態の衝立の背面側説明図
【図３】アコーデオンスクリーンを幅方向に縮めた状態の背面側説明図
【図４】高さ方向正面側に折り畳んだ状態の斜視図
【図５】高さ方向に折り畳んだ状態の蝶番部分の拡大図
【図６】蝶番及び固定装置の拡大断面図
【符号の説明】
【００２７】
１．．．．．．衝立
２．．．．．．アコーデオンスクリーン
３．．．．．．縦框部材
４．．．．．．脚
５．．．．．．蝶番
６．．．．．．固定装置
７．．．．．．固定ベルト
２１．．．．．上部アコーデオンスクリーン
２２．．．．．下部アコーデオンスクリーン
３１．．．．．上部框部材
３２．．．．．下部框部材
５１．．．．．中間蝶板
５２．．．．．上蝶板
５３．．．．．下蝶板
６１．．．．．固定部材
６２．．．．．スライドガイド
６３．．．．．スライド溝
６４．．．．．脱落防止片
６５．．．．．長窓
６６．．．．．ストッパボルト
【図１】
0003142658.tif 000003
【図２】
0003142658.tif 000004
【図３】
0003142658.tif 000005
【図４】
0003142658.tif 000006
【図５】
0003142658.tif 000007
【図６】
0003142658.tif 000008